(57)【要約】【課題】半導体発光装置を光源とする車両用照明灯具において、光源の光束を効率よく利用すると共に、特に光源の不点灯時の見栄えを改善した構成を提供することにある。【解決手段】光源２と、光源２が発した光を屈折させて所定の配光パターンを形成するレンズ３の位置関係において、レンズ３の光学中心Ｌを、光源２における発光部の中心（中心を含むその近傍であってもよい）を通り光の放射方向に延伸する線Ｌ（レンズの光軸であり灯具の光軸）とすると、レンズ３の光学中心Ｌが、レンズ３の正面視における外形両端からの距離的な中心線より外寄りに位置するようにした。【選択図】図２
2012104326.tif 000002
【特許請求の範囲】
【請求項１】
半導体発光装置からなる光源と、前記光源が発した光を屈折させて所定の配光パターンを形成するレンズとを備える車両用照明灯具であり、
前記レンズが、
前記光源における発光部の中心を含むその近傍を通り前記光の放射方向に延伸する線を光学中心とし、
前記光学中心が、当該レンズの正面視における外形両端からの距離的な中心線より外寄りに位置することを特徴とする車両用照明灯具。
【請求項２】
前記光学中心が、
当該レンズの外形端近傍にあることを特徴とする、請求項１に記載の車両用照明灯具。
【発明の詳細な説明】
【技術分野】
【０００１】
本発明は、発光ダイオードを含む半導体発光装置を光源とする車両用照明灯具に関する。
【背景技術】
【０００２】
近年、半導体発光装置を光源とする車両用照明灯具のうち、レンズを用いて光源が発した光を屈折させて（反射面を用いることなく）所定の配光パターンを形成するものが知られている（例えば、特許文献１参照。）。
【先行技術文献】
【特許文献】
【０００３】
【特許文献１】特開２００９−９７８７号公報
【発明の概要】
【発明が解決しようとする課題】
【０００４】
しかしながら、上述のような従来の車両用照明灯具では、例えば下のような問題があった。すなわち、従来の車両用照明灯具では、図３のようにレンズの中心（またはその近傍）に光源の発光部の中心があるため、例えば図４のようにリムなど（エクステンションやハウジングである場合も含む）灯具の外形を形成するために必要な非透過性部材をレンズの外周の周囲に配置した場合に、その非透過性部材によって光が遮られてしまう（光束利用率が下がってしまう）という問題があった。
【０００５】
また、従来の車両用照明灯具では、上述のような位置に光源を配置するため、外部から光源が視認されるため、見栄えが優れないという問題があった。この問題は、半導体発光装置として広く用いられる疑似白色発光ダイオード（青色発光ダイオードの発光面に黄色蛍光体を設け、発光ダイオードからの青色光と蛍光体が励起されて生じる黄色光との混色で白色光を生成するもの）を使用した場合に、光源の不点灯時に蛍光体の黄色味が視認されてしまうため顕著であった。
【０００６】
以上より、本発明は、半導体発光装置を光源とする車両用照明灯具において光源の光束を効率よく利用することを、その解決しようとする課題とする。
また、本発明は、上記車両用照明灯具において、特に光源の不点灯時の見栄えを改善することを、解決しようとすることを、他の課題とする。
【課題を解決するための手段】
【０００７】
以上の課題に鑑み、本発明は以下の手段とした。
すなわち、本発明は、半導体発光装置からなる光源と、前記光源が発した光を屈折させて所定の配光パターンを形成するレンズとを備える車両用照明灯具であり、前記レンズが、前記光源における発光部の中心を含むその近傍を通り前記光の放射方向に延伸する線を光学中心とし、前記光学中心が、当該レンズの正面視における外形両端からの距離的な中心線より外寄りに位置する。
【０００８】
以上のように、本発明は、上述のような位置に光学中心を持つレンズを用いることにより、リムなど灯具の外形を形成するために必要な非透過性部材をレンズの外周の周囲に配置した場合に、そのリムなどによって光が遮られる（光束利用率が下がる）ことがない。
また、上述の構成より、本発明は、比較的外方より内部が視認しやすいレンズの中心位置に光源を配置しないため、外部からの光の屈折やリムのような外装部品の映り込みなどが生じやすく、その結果として光源が外部から視認されにくい。その結果として、本発明によれば、特に光源の不点灯時の見栄えを改善できる。
また、本発明は、前記光学中心が、当該レンズの外形端近傍にあってもよい。
このようにすれば、より外部から光源が視認されにくく更に光源の不点灯時の見栄えを改善できる。
【発明の効果】
【０００９】
以上のように、本発明によれば、半導体発光装置を光源とする車両用照明灯具において光源の光束を効率よく利用するという優れた効果を奏する。
また、本発明は、上記車両用照明灯具において、特に光源の不点灯時の見栄えを改善するという、他の効果を奏する。
【図面の簡単な説明】
【００１０】
【図１】本発明の一実施の形態に係る車両用照明灯具の正面図である。
【図２】本実施形態に係る車両用照明灯具の横断面図である。
【図３】本実施形態に係る車両用照明灯具の縦断面図である。
【図４】本実施形態の応用例に係る車両用照明灯具の正面図である。
【図５】本実施形態の応用例に係る車両用照明灯具の横断面図である。
【図６】従来の車両用照明灯具の一例にかかる正面図である。
【発明を実施するための形態】
【００１１】
以下、本発明の一実施の形態に係る車両用照明灯具について説明する。
図１は、本実施の形態にかかる車両用照明灯具１の正面図である。
車両用照明灯具１は、例えば疑似白色発光ダイオードなどの半導体発光装置からなる光源２と、前記光源が発した光を屈折させて所定の配光パターンを形成するレンズ３とを備える。
【００１２】
図２は、本実施形態に係る車両用照明灯具の横（Ａ−Ａ）断面図、図３は、本実施形態に係る車両用照明灯具の縦（Ｂ−Ｂ）断面図である。
【００１３】
車両用照明灯具１において、レンズ３は、光源２における発光部の中心（中心を含むその近傍であってもよい）を通り光の放射方向に延伸する線Ｌ（レンズの光軸であり灯具の光軸）を光学中心Ｌとすると、レンズ３の光学中心Ｌが、レンズ３の正面視における外形両端からの距離的な中心線より外寄りに位置する。
【００１４】
つまり、レンズ３は、この光学中心Ｌから照射方向（車両に取り付けた場合には車両前方）に向かって略一方の側に広がる照射範囲Ｅの範囲に光を照射して所定距離離れた位置にある仮想スクリーンに所定配光パターンを形成するように、光源２からレンズ３への入射光とレンズ３から外部への出射光との関係が設定されている。
【００１５】
以上のように、車両用照明灯具１は、上述のような位置に光学中心Ｌを持つレンズ３を用いることにより、リム４など灯具の外形を形成するために必要な非透過性部材をレンズ３の外周の周囲に配置した場合に、照射範囲Ｅがそのリム４などによって遮られる（光束利用率が下がる）ことがない。
【００１６】
車両用照明灯具１（特にフォグランプのような補助前照灯）において、その取り付け位置によってはバンパーなどの車両の外装部品（不図示）が灯具の照射方向側方寄りに存在することがあり、このような場合に本実施形態のような構成を取ることは有効である。
【００１７】
また、上述の構成を有する車両用照明灯具１は、図６のような、従来の車両用照明灯具と異なり比較的外方より内部が視認しやすいレンズ３の中心位置に光源を配置しないため、外部からの光の屈折やリム４のような外装部品の映り込みなどが生じやすく、その結果として光源２（の蛍光体）が外部から視認されにくい。その結果として、車両用照明灯具１によれば、特に光源の不点灯時の見栄えを改善できる。
【００１８】
また、車両用照明灯具１は、光学中心が、当該レンズ３の外形端近傍にあってもよい。このようにすれば、より外部から光源２が視認されにくく更に光源の不点灯時の見栄えを改善できる。
【００１９】
以下に、上記構成の車両用照明灯具１を基本構成とする応用例について説明する。図４は、本実施形態の応用例に係る車両用照明灯具の正面図である。又は、図５は、本実施形態の応用例に係る車両用照明灯具の横（Ｃ−Ｃ）断面図である。
【００２０】
本応用例では、上記実施形態で説明した車両用照明灯具１の光源２とレンズ３とを二組備える。ここで、レンズ３は、横断面図においてレンズ３の内側（光源２が配置されていない側）で互いの外周が接するように配置されている。
【００２１】
このような応用例の車両用照明灯具では、一つの光源２とレンズ３との組み合わせによる照射範囲Ｅの偏りを互いに補完しつつリム４によって光が遮られることがないため、光束利用率を高めることができる。
【符号の説明】
【００２２】
１…  車両用照明灯具
２…  光源
３…  レンズ
４…  リム
【図１】
2012104326.tif 000003
【図２】
2012104326.tif 000004
【図３】
2012104326.tif 000005
【図４】
2012104326.tif 000006
【図５】
2012104326.tif 000007
【図６】
2012104326.tif 000008